(57)【要約】【課題】消しゴムは、使用し続けると、角が丸くなって、目的とする消去範囲を超えて周辺の筆跡も消去してしまうという不都合があり、また、筆跡消去後には、消し屑を取り除く作業を余儀なくされるので、消しゴムに代わる筆跡消去のための方法および器具を提供する。【解決手段】粘着テープの粘着剤塗布層側の一部を、紙面の消去しようとする筆跡部位に接触させ、弱い圧下によりこの粘着テープで筆跡部位を繰り返し擦過することによって、筆跡構成成分を紙面から離脱させ粘着剤に練り込んで粘着剤塗布層と結合する可塑性物体を生成し、強い圧下により未使用粘着テープを引き出し側粘着テープロールから紙面に供給し、同時に、使用済粘着テープを巻き取り側粘着テープロールに巻き取る。【選択図】図１
2017159637.tif 000002
【特許請求の範囲】
【請求項１】
紙面上の消去しようとする筆跡部位に、粘着テープの粘着剤塗布層側の一部を接触させて擦過を繰り返すことによって、
筆跡構成成分を紙面から離脱させ粘着剤に練り込んで粘着剤塗布層と結合する可塑性物体を生成する、
筆跡を消去するための方法。
【請求項２】
請求項１に記載の筆跡を消去するための方法において、
擦過と接着と引き剥がしを繰り返す、
筆跡を消去するための方法。
【請求項３】
引き出し側リールと、
粘着テープの第１の端を引き出し側リールに固定して、これに粘着剤塗布層が内側または外側になるように巻いたロール状の引き出し側粘着テープロールと、
巻き取り側リールと、
粘着テープの第２の端を巻き取り側リールに固定して、これに粘着剤塗布層が内側または外側になるように巻いたロール状の巻き取り側粘着テープロールとからなり、
粘着テープの凸面を作業点とする、
筆跡を消去するための器具。
【請求項４】
請求項３に記載の筆跡を消去するための器具において、
引き出し側リールと、
粘着テープの第１の端を引き出し側リールに固定して、これに粘着剤塗布層が内側または外側になるように巻いたロール状の引き出し側粘着テープロールと、
巻き取り側リールと、
粘着テープの第２の端を巻き取り側リールに固定して、これに粘着剤塗布層が内側または外側になるように巻いたロール状の巻き取り側粘着テープロールと、
粘着テープを基材側から支持する凸形状の支持体とからなる、
筆跡を消去するための器具。
【請求項５】
請求項３または４に記載の筆跡を消去するための器具において、
粘着テープの長手方向の支持体の曲率半径を０．１ｍｍ以上４０ｍｍ以下の範囲とする、
筆跡を消去するための器具。
【請求項６】
請求項３から５に記載の筆跡を消去するための器具において、
粘着テープの幅を２ｍｍ以上２０ｍｍ以下の範囲とする、
筆跡を消去するための器具。
【請求項７】
請求項３から６に記載の筆跡を消去するための器具において、
粘着テープロールが支持体を兼ねる、
筆跡を消去するための器具。
【請求項８】
請求項３から７に記載の筆跡を消去するための器具において、
複数の作業点を有する、
筆跡を消去するための器具。
【発明の詳細な説明】
【技術分野】
【０００１】
本発明は、黒鉛等の芯を有する筆によって書かれた筆跡を消去するための方法および器具に関する。
【背景技術】
【０００２】
消しゴムと紙面との接触面積が少ないほど、筆跡は、消しゴムにより、より精緻に消去することができる。このため、消しゴムは薄くすることが望まれるが、そうすると使用時に折れたり曲がったりするので、例えば矩形断面の場合、一般的には１０ｍｍ以上の厚さが必要とされる。そこで、消しゴムは、できるだけ紙面との接触面積が少なくなるように、角を紙面と接触させて使用される。その結果、消しゴムを使い続けると、角が次第に丸くなって紙面との接触面積が増し、目的とする消去範囲を超えて周辺の筆跡も消去してしまうという不都合が生じる。
【０００３】
また、消しゴムには、使用に伴い消し屑が発生し、消しゴムの新生面に付着、あるいは、紙面に散らばり残留するので、消し屑を除去する作業を余儀なくされるという問題がある。鉛筆やシャープペンシル等の黒鉛芯を有する筆で書かれた紙面には黒鉛、結合剤由来成分、油等が付着して筆跡を構成する。紙面を消しゴムで繰り返し擦過すると、消しゴムの擦過部位は、紙面に付着した筆跡構成成分を剥がし取りながら消しゴム本体より脱落し、消し屑となる。筆跡を消去する作業が終わると、消しゴムには新しい表面が露出し、不要となった消し屑は、消しゴムの新生面に付着、あるいは、紙面に散らばって残留する。かかる消し屑に関して、消し屑の発生しない字消し具に係る提案、あるいは、消し屑の除去に係る提案がなされている。
【０００４】
特許文献１（特開２００１−０９６９８４）は、消し屑の発生しない字消し具を開示している。字消し具先端に非摩耗材よりなり球体あるいは円筒体に成形された字消し部材を取り付け、これを紙面上で回転移動する。字消し部材は紙面と回転接触して紙面の筆跡構成成分を吸着する。ここで強調されるべきは、擦過ではなく回転接触が採用されたことである。すなわち、この字消し部材には、筆跡構成成分が付着した字消し部材の表面で紙面を擦過すると、筆跡構成成分が再び紙面に戻って紙面を汚すという問題があり、本文献はこの問題を回転接触により解決して、発明を完成させたのである。
【０００５】
特許文献１の字消し部材は、球体あるいは円筒体に成形された非摩耗材からなる回転体であり、その表面は更新されないので、筆跡消去容量が著しく小さいという弱点がある。
【０００６】
消し屑の除去に関して多くの技術が知られている。例えば、特許文献２（特開２００４−３４５３３７）は、消しゴムについた汚れをたやすく落とす器具を開示している。平織りの布を芯となる厚紙または、木板、プラスチック板に貼り付け、余分の布を芯の裏側へ折り返し、その上に裏張りをする物であり、表布に消しゴムをこすりつけて汚れを落とす。布の織り目の凹凸が程よく汚れを落とし、消しゴムを削り過ぎず無駄な消耗を避けることができる。
【０００７】
特許文献３（特開平１０−１７５３９４）は、手書きの図面や書類作成の際に紙面上に発生する消しゴムの消し屑や微小なゴミ等を除去するものであり、装着台、巻取台、圧着台引出腕等から構成される器具であり粘着テープを用いる。装着台に装着したロール状の粘着テープから引出された粘着テープは、引き出しローラー、圧着台引出腕、巻き取りローラーの各々を経由して巻取台に至る。圧着台引出腕の平らな底面にセットされた粘着テープの粘着面を紙面に押し付けると、消しゴムの消し屑や微小なゴミ等は、この粘着面に付着するので、圧着台引出腕を持ち上げれば紙面から除去される。粘着テープの更新には巻き取りツマミが用意されており、これを巻き取り方向に回転させることにより、テープ使用済部分が巻取られ、圧着台引出腕上にはテープ未使用部分が新たにセットされる。また同時にテープの張りが調節される。
【０００８】
特許文献４（実登３１３３１３０）は、机上の鉛筆作業時に発生する消し屑を、手際よく清掃するために、既存の粘着テープ式清掃器を掌に納まるように小形化し使い易い構造とした物である。ロール状の粘着テープ一巻き目毎に切断用ミシン目を入れ、不使用時ゴミ付着防止の為の開閉ケースに収納する。使用時はケースを開けて、粘着テープの粘着面を紙面に当てて転がす。粘着テープの更新はミシン目より１枚剥がすことにより行われる。
【０００９】
テープロールからテープを供給する技術としては、テープを紙面と接触させ、背面から支持体により圧下しつつ支持体を移動させる。これを駆動力として、引き出し側テープロールから未使用テープを引き出し、これと連動して使用済みテープを巻き取り、巻き取り側テープロールとする技術が知られている。以下、この技術を「テープ引き出し巻き取り技術」と称する。この技術はテープ糊や修正テープに適用され（特許文献５（特開２００１−９８２３３）、特許文献６（特開２００１−２７０２８９））、実用に供されている。これは、テープ基材に載荷物（糊や白色修正ペースト）を載荷したテープが、引き出し側リールにロール状に巻かれて装着される。このテープロールからテープを引き出して、テープから載荷物を紙面に転写しつつ、残留するテープ基材を巻き取り側リールで巻き取るものである。
【先行技術文献】
【特許文献】
【００１０】
【特許文献１】特開２００１−０９６９８４号公報
【特許文献２】特開２００４−３４５３３７号公報
【特許文献３】特開平１０−１７５３９４号公報
【特許文献４】実登３１３３１３０号公報
【特許文献５】特開２００１−９８２３３号公報
【特許文献６】特開２００１−２７０２８９号公報
【発明の概要】
【発明が解決しようとする課題】
【００１１】
黒鉛等の芯を有する筆によって書かれた筆跡を消去するための従来技術には、以下のような問題があった。
【００１２】
（１）消しゴムは通常、紙面との接触面積の少ない角を使うが、使用し続けると、角が丸くなって紙面との接触面積が増加する。その結果、目的とする消去範囲を超えて周辺の筆跡をも消去してしまうという不都合が発生する。
（２）消しゴムは、消し屑の発生によって表面が更新されるので、使い続けることができる。この原理に従う限り、消し屑の発生は不可避であり、筆跡消去後には、消しゴムの新生面に付着、または、紙面に散らばった消し屑を取り除く作業が発生する。
【００１３】
本発明は、以上のような消しゴムに係る技術的課題に鑑みてなされたものであり、黒鉛等の芯を有する筆によって書かれた筆跡を消去するための新規な方法および器具を提供することができる。
【課題を解決するための手段】
【００１４】
（１）本発明に係る筆跡を消去するための方法は、
紙面上の消去しようとする筆跡部位に、粘着テープの粘着剤塗布層側の一部を接触させて擦過を繰り返すことによって、
筆跡構成成分を紙面から離脱させ粘着剤に練り込んで粘着剤塗布層と結合する可塑性物体を生成する。
【００１５】
ここで言う粘着テープはテープ基材とその片面に施された粘着剤塗布層とからなり、両者の結合は強固であり粘着剤塗布層が基材から剥離することはない。発明者は、かかる粘着テープの粘着剤塗布層側の限られた一部を使用して、消しゴムのように、紙面を繰り返し擦過することができること、擦過の繰り返しにより筆跡構成成分を少しずつ紙面から粘着テープに移動させることができること、その結果、粘着剤塗布層と結合する可塑性物体が生成されること、そして、これが紙面と密着して筆跡構成成分を取り込んで成長しつつ、紙を傷めることなく筆跡構成成分を効率よく捕捉する効果を奏するという知見を得て、本発明を完成するに至った。
【００１６】
可塑性物体は、上述のように筆跡構成成分を粘着剤に練り込んで生成されるもので、筆跡構成成分の粒子が粘着剤により結合された新規な複合材料である。その特徴は粘土状で形状加工の容易なことである。本発明では、かかる新規な複合材料を生成し筆跡構成成分の除去に用いるのである。
【００１７】
特許文献３は、粘着テープの粘着面を紙面に押し付けると、消しゴムの消し屑や微小なゴミ等は、この粘着面に付着することを開示した。この技術は粘着テープを紙面と弱く接触させて、粘着テープを筆跡構成成分と接触させないことにより実現するものである。粘着テープを紙面と強く接触させると、粘着テープは紙面と密着し筆跡構成成分との接触が実現するが、この結果発生する強固な接着が妨げとなって粘着テープを紙を傷めずに剥がすことも粘着テープにより擦過することも困難となることは当業者が知るところである。これに対して、発明者が得た知見によれば、粘着テープを紙面と弱く接触させると、擦過の実施が可能となり、これにより可塑性物体が生成され、粘着テープが可塑性物体を介して紙面と密着することが可能となる。こうなると密着しても引き続き擦過の実施は可能であり、筆跡構成成分の除去が実現するのである。なぜなら、可塑性物体の粘着性は粘着剤塗布層のそれと比べて弱いからである。
【００１８】
（２）（１）に記述の筆跡を消去するための方法において、
擦過と接着と引き剥がしを繰り返す。すなわち、
紙面上の消去しようとする筆跡部位に、粘着テープの粘着剤塗布層側の一部を接触させて擦過と接着と引き剥がしを繰り返すことによって、
筆跡構成成分を紙面から離脱させ粘着剤に練り込んで粘着剤塗布層と結合する可塑性物体を生成する。
【００１９】
（３）本発明に係る筆跡を消去するための器具は、
引き出し側リールと、
粘着テープの第１の端を引き出し側リールに固定して、これに粘着剤塗布層が内側または外側になるように巻いたロール状の引き出し側粘着テープロールと、
巻き取り側リールと、
粘着テープの第２の端を巻き取り側リールに固定して、これに粘着剤塗布層が内側または外側になるように巻いたロール状の巻き取り側粘着テープロールとからなり、
粘着テープの凸面を作業点とする。
【００２０】
粘着テープの粘着剤塗布層が紙面と接触する部位を作業点と称する。作業点における粘着テープの基材側に支持体が配される。この支持体は、粘着テープの長手方向に凸形状を有する。作業点は、粘着テープロールを構成する最外層の粘着テープ上にあってもよい。この場合、粘着テープロールが支持体を兼ねる。
【００２１】
（４）（３）に記述の筆跡を消去するための器具において、
引き出し側リールと、
粘着テープの第１の端を引き出し側リールに固定して、これに粘着剤塗布層が内側または外側になるように巻いたロール状の引き出し側粘着テープロールと、
巻き取り側リールと、
粘着テープの第２の端を巻き取り側リールに固定して、これに粘着剤塗布層が内側または外側になるように巻いたロール状の巻き取り側粘着テープロールと、
粘着テープを基材側から支持する凸形状の支持体とからなる。
【００２２】
作業点は、引き出し側粘着テープロールと巻き取り側粘着テープロールを繋ぐ粘着テープ上にあってもよい。本発明になる引き出し側粘着テープロールを構成する粘着テープの基材と、それが接着する内側の粘着テープの粘着剤塗布層との間には粘着力が働いている。これにより、粘着テープロールは自立的にロール形状を保持できる。また、粘着テープに張力が働いても、それがロールから引き剥がしが起きる限界粘着力以下であれば、引き出し側粘着テープロールから粘着テープが引き出されることはない。筆跡消去に供する作業点において粘着テープを紙面に接触させ、支持体により背面より圧下したまま、引き出し側粘着テープロールの向きに粘着テープを引くと、粘着テープは、紙面と接する作業点と粘着テープロールの引き剥がし点の間で緊張する。そして、その張力が限界粘着力以下の場合、すなわち弱く圧下した場合には、粘着テープは引き出されることはなく、作業点において、紙面を擦過することができる。一定距離擦過した後、粘着テープを浮かせて元の位置に戻す。この作業は粘着テープが引き出されることなく繰り返すことができる。すなわち、筆跡構成成分が紙面から粘着テープに移動し終えるまで片道の「繰り返し擦過」を行うことができるのである。所定の「繰り返し擦過」が終了したら、作業点において支持体により粘着テープを強く圧下し、可塑性物体を介して紙と接着させる。この状態で引き出し側粘着テープロールの方向に粘着テープを引く。粘着テープが緊張し粘着テープに働く張力が限界粘着力を超えると、粘着テープはロールから引き剥がされて、引き出し側粘着テープロールが回転し「粘着テープの供給」が行われる。これと連動して巻き取り側粘着テープロールが回転し粘着テープは巻き取られ、作業点では粘着テープの引き剥がしが起きる。粘着テープに生成した可塑性物体は紙面の微細な凹凸に密着して粘着テープと紙の接着を可能にするが、可塑性物体の粘着性は弱いので、引き剥がしによって紙が傷むことはない。
【００２３】
すなわち、使用者は、作業点において粘着テープの背面に加える圧下力の大きさによって、「繰り返し擦過」と「粘着テープの供給」のいずれかを選択できる。すなわち、弱い圧下により「繰り返し擦過」を選ぶか、強い圧下により「粘着テープの供給」を選ぶかを選択できる。発明者は、粘着テープの粘着性がもたらすかかる効果を見出して、本発明を完成するに至った。
【００２４】
これに対して、テープ基材と載荷物とが接着されていない非粘着テープの場合、例えば、テープ糊の場合、前述の「テープ自動引き出し巻き取り技術」を採用する市販のテープ糊を紙面に接触させて引き出し側テープロールの向きにテープを引くと、わずかな圧下力で引き出し側テープロールが回転して「テープの供給」が起きる。しかし、擦過を起こすことはできない。この挙動は、市販の修正テープで試みても同様である。なぜなら、テープ糊や修正テープのように載荷物（糊や白色修正ペースト）を紙に転写することを目的とする器具においては、テープロールの最外面のテープの背面は接触する内側のテープの載荷物とは接着していないからである。このため、テープロールは自立的にロール形状を保持することができず、ロール中のテープに張力が働かないとテープは緩みロール形状は容易に崩れる。すなわち、非粘着テープの場合、限界粘着力がほとんど零なので、擦過を起こすことはできないのである。
【００２５】
本発明によれば、支持体は粘着テープの長手方向に凸形状とする。凸形状ではなく粘着テープの長手方向の辺長数ミリメートル以下、例えば３ｍｍの微細な平面を有する平面形状の支持体で繰り返し擦過を試みると、粘着テープの基材に対して支持体の平面による接触を手動操作で維持するのは困難であり、手振れにより、平面の端、すなわち角で接触することが避けられない。手振れにより、支持体が平面接触から角接触に意図せずに突然切り替わると、接触面積の急減により粘着テープに過大な押圧がかり、粘着テープに可塑性物体未生成の場合は、粘着テープが紙と接着し、紙の表層を引き剥がして紙を傷める。過大な押圧を手動操作で抑制できたとしても、角の作用により削り取られた筆跡構成成分が、粘着テープに線状に蓄積され、可塑性物体を経てただちに粉末集合体に移行する。この状態で、擦過を繰り返すと筆跡構成成分が線状粉末集合体から紙面に戻り紙面を汚す。逆に、粘着テープの長手方向の辺長数ミリメートルを超える、例えば１０ｍｍの大きな平面を有する平面形状の支持体を採用すると、平面接触状態は安定するが、筆跡のない白紙部位との接触が増加するので、粘着テープのまだ可塑性物体が形成されていない部位が白紙部位と接着して紙を傷めることが避けられず、擦過の実行は困難となる。これに対して、本発明によれば、支持体を凸形状とすることにより擦過の過程で手振れが起きても接触面積が急変することはないので、可塑性物体の生成と成長が容易に行われ、安定した繰り返し擦過が可能となる。
【００２６】
（５）（３）または（４）に記述の筆跡を消去するための器具において、
粘着テープの長手方向の支持体の曲率半径を０．１ｍｍ以上４０ｍｍ以下の範囲とする。
【００２７】
凸形状の支持体の粘着テープの長手方向の曲率半径を０．１ｍｍ以上としたので、過大な押圧により紙面を損傷させることはない。さらにまた、その長手方向の曲率半径を４０ｍｍ以下としたので、圧下による粘着テープと紙面との接触面積は十分小さく、粘着テープが、意に反して、目的とする消去範囲を超えて紙面と接触し周辺の筆跡も消去してしまう危惧は軽減される。
【００２８】
（６）（３）から（５）に記述の筆跡を消去するための器具において、
粘着テープの幅を２ｍｍ以上２０ｍｍ以下の範囲とする。
【００２９】
本発明によれば、粘着テープの幅を２ｍｍ以上２０ｍｍ以下としたので、圧下による粘着テープと紙面との接触面積は十分小さく、粘着テープが、意に反して、目的とする消去範囲を超えて紙面と接触し周辺の筆跡も消去してしまう危惧は軽減される。
【００３０】
（７）（３）から（６）に記述の筆跡を消去するための器具において、
粘着テープロールが支持体を兼ねる。
【００３１】
本発明によれば、「粘着テープロール」は、その最外部が作業点となり、作業点を支持する支持体ともなるので、実質的に、引き出し側リール、巻き取り側リールおよび粘着テープからなる極めて簡素な構成となることが特徴的である。「引き出し側粘着テープロール」を支持体とすると、粘着テープの引き出しに伴って支持体の曲率半径は少しずつ減少し、「巻き取り側粘着テープロール」を支持体とすると、粘着テープの巻き取りに伴って支持体の曲率半径は少しずつ増加するが、その変化はわずかである。
【００３２】
（８）（３）から（７）に記述の筆跡を消去するための器具において、
複数の作業点を有する。
【００３３】
本発明によれば、器具の複数の部位において支持体を設けて粘着テープを支持し、粘着側が紙面と接する構造なってそれぞれ作業点とすることができる。例えば、曲率半径の大きい「粘着テープロール」と曲率半径の小さいローラーを支持体として、紙面との接触面積が異なる作業点とするのである。
【発明の効果】
【００３４】
（１）繰り返し擦過を継続すると、粘着剤塗布層と結合する可塑性物体が、紙面と密着して筆跡構成成分を取り込んで成長しつつ、紙を傷めることなく筆跡構成成分を効率よく捕捉する。
（２）かかる筆跡消去を継続しても、作業点における器具と紙面との接触面積は増加しないか、増加してもわずかなので、精緻な筆跡消去が維持できる。
（３）消し屑が発生しないので、消し屑を除去する作業は不要となる。
（４）粘着テープの作用により、弱い圧下により「繰り返し擦過」を選ぶか、強い圧下により「粘着テープの供給」を選ぶかを選択できるので、簡便に効率よく筆跡消去作業ができる。そして、
（５）消しゴムは消耗して掴みにくくなると廃棄されるが、粘着テープは、作業点を構成できない端部を除いて、無駄なく筆跡の消去に利用できる。
【図面の簡単な説明】
【００３５】
【図１】黒鉛等の芯を有する筆によって書かれた筆跡を消去するための方法の概略を説明するための模式図である。
【図２】図２（a）は、プレート型支持体の要部を模式的に示す垂直断面図である。図２（b）は、ローラー型支持体の要部を模式的に示す垂直断面図である。図２（c）は、ロール型支持体の係る要部を模式的に示す垂直断面図である。
【図３】図３（a）は、支持体および、同方向に回転する二つの粘着テープロールに係る構成を模式的に示す垂直断面図である。図３（b）は、支持体および、異方向に回転する二つの粘着テープロールに係る構成を模式的に示す垂直断面図である。
【図４】図４（a）は、支持体および、同方向に回転する二つの粘着テープロールであって引き出し側粘着テープロールを前方に配置する構成を模式的に示す垂直断面図である。図４（b）は、支持体および、同方向に回転する二つの粘着テープロールであって引き出し側粘着テープロールを後方に配置する構成を模式的に示す垂直断面図である。
【図５】図５（a）は、支持体および、異方向に回転する二つの粘着テープロールであって引き出し側粘着テープロールを前方に配置する構成を模式的に示す垂直断面図である。図５（b）は、支持体および、異方向に回転する二つの粘着テープロールであって引き出し側粘着テープロールを後方に配置する構成を模式的に示す垂直断面図である。
【図６】図６（a）は、一方の粘着テープロールが支持体を兼ね、同方向に回転する二つの粘着テープロールからなる構成を模式的に示す垂直断面図である。図６（b）は、一方の粘着テープロールが支持体を兼ね、異方向に回転する二つの粘着テープロールからなる構成を模式的に示す垂直断面図である。
【図７】一方の粘着テープロールが支持体を兼ね、二つの粘着テープロールが直接接触する構成を模式的に示す垂直断面図である。
【図８】図８（a）は、実施例１に係り、プレート型支持体を有しベルトで駆動する筆跡除去器具の使用後の外観写真、図８（b）は、実施例２に係り、プレート型支持体を有し歯車駆動の黒鉛筆跡除去器具の使用後の外観写真である。図８（c）は、実施例２に係り、鉛筆を使って描いた線間幅２〜３ｍｍの螺旋をこの黒鉛筆跡消去器具を使用して、粘着テープの幅６ｍｍで一本置きに消去した後の写真である。
【図９】図９（a）は、実施例３に係るローラー型支持体を有し歯車で駆動する黒鉛筆跡除去器具の使用後の外観写真である。図９（ｂ）は、鉛筆を使って描いた線間幅２〜３ｍｍの螺旋をこの黒鉛筆跡消去器具を使用して、粘着テープの幅６ｍｍで直線的に消去した後の写真である。
【図１０】図１０（a）は、実施例４に係り、ローラー型支持体を有し歯車で駆動する黒鉛筆跡除去器具の使用後の外観写真である。図１０（b）は、実施例５に係り、ローラー型支持体と板バネを有し歯車で駆動する黒鉛筆跡除去器具の使用後の外観写真である。図１０（ｃ）は、鉛筆を使って描いた線間幅２〜３ｍｍの螺旋をこの黒鉛筆跡消去器具を使用して、粘着テープの幅６ｍｍで直線的に消去した後の写真である。
【図１１】図１１（a）は、実施例６に係り、後方に引き出し側リールを配置し、ローラー型支持体を有し歯車で駆動する黒鉛筆跡除去器具の使用後の外観写真である。図１１（ｂ）は、鉛筆を使って描いた線間幅２〜３ｍｍの螺旋をこの黒鉛筆跡消去器具を使用して、粘着テープの幅９ｍｍで直線的に消去した後の写真である。
【図１２】図１２（a）は、実施例７に係り、ロール型支持体であって、二つの粘着テープロールが直接接触する黒鉛筆跡除去器具の使用後の外観写真である。図１２（ｂ）は、ロール型支持体を使用して筆跡消去を実施後、器具を反転して撮った写真である。図１２（ｃ）は、鉛筆を使って描いた線間幅２〜３ｍｍの螺旋を、黒鉛筆跡消去器具を使用して、幅５ｍｍの粘着テープで消去した後の写真である。
【図１３】図１３（a）は、実施例８に係り、露出した巻き取り側粘着テープロールとプレート型支持体を有する黒鉛筆跡除去器具の使用後の外観写真である。図１３（ｂ）は、実施例９に係り、露出した巻き取り側粘着テープロールとローラー型支持体を有する黒鉛筆跡除去器具の使用後の外観写真である。
【発明を実施するための形態】
【００３６】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００３７】
図１は、本発明に係る黒鉛等の芯を有する筆によって書かれた筆跡を消去するための方法の概略を説明するための模式図である。粘着テープ２の粘着剤塗布層２２の側の一部を、紙面上の消去しようとする筆跡部位に接触させ、この粘着テープ２で筆跡部位を繰り返し擦過することによって、筆跡構成成分を粘着剤に練り込んで、粘着剤塗布層２２と結合する可塑性物体４を生成し、筆跡構成成分を紙１から離脱させる。これを実現するために、粘着テープ２の基材２１の背面に支持体３を配する。これにより粘着テープ２を緊張させて紙面１に接触させ、低い押圧を与えながら支持体３を、往復動させる。こうして、粘着テープ２により紙面の筆跡部位を繰り返し擦過することが可能となる。
【００３８】
生成した可塑性物体４は、
（１）粘着剤と比べて粘着性が低いので紙面と接着しない。したがって紙を傷めない。
（２）低い押圧でも容易に変形して紙面と密着し筆跡構成成分を捕捉する。
という特性がある。本発明は、このように優れた特性を持つ可塑性物体４を繰り返し擦過により生成し、これを媒体として、筆跡消去を行うものである。筆跡構成成分は、擦過の繰り返しにより、可塑性物体４に捕捉され、紙面から粘着テープへ移動する。言い換えると、可塑性物体４は筆跡構成成分を取り込んで成長しつつ、紙を傷めることなく筆跡構成成分を効率よく捕捉する。
【００３９】
本発明によれば、筆跡構成成分は可塑性物体に取り込まれるが、この可塑性物体は、粘着剤塗布層と結合しているので、消しゴムから発生する消し屑とは異なり、紙面上に散らばることはない。
【００４０】
図２は、粘着テープを支持する支持体の要部を模式的に示す垂直断面図である。  図２（a）は、プレート型支持体に関する。粘着テープ２は粘着剤塗布層が紙１に接するように配する。プレート型支持体３１はプレートであってその先端を粘着テープ２の背面に接しせしめて粘着テープ２を介して紙１を弱く圧下すれば、圧下しながら紙面に沿って移動することができる。これにより、粘着テープ２と紙１の接点、すなわち作業点１０において、粘着テープ２が緊張していれば粘着テープ２による紙面の擦過が起こり、弛緩していれば粘着テープ２は紙面へ拡がり弛緩部分は紙面に接着する。すなわち、
（１）粘着テープ２が緊張していれば、擦過は筆跡構成成分を粘着剤に練り込んで、粘着剤塗布層と結合する可塑性物体を生成し、筆跡構成成分を紙１から離脱させる（擦過単独）。
（２）粘着テープ２が弛緩していれば、粘着テープ２は紙面に拡がり接着し、筆跡構成成分は粘着テープ２に転写される。拡がりが進行して弛緩が終了し粘着テープが緊張すると擦過が始まり、これに引きずられて、接着部分は引き剥がされる。または、ある程度拡がりが進行したところで、折り返すと、あるところで弛緩が終了して粘着テープが緊張すると擦過が始まる。これに引きずられて、接着部分は引き剥がされる（擦過と接着と引き剥がし）。
以上のように、本発明になる「繰り返し擦過」は「擦過単独の繰り返し」または「擦過と接着と引き剥がしの繰り返し」により黒鉛筆跡除去を進行させるものである。ここで、「擦過単独の繰り返し」は、一定距離擦過した後粘着テープを浮かせて元の位置に戻す片道擦過のほか，圧下を維持しながら往復する往復動擦過も含む。
【００４１】
図２（ｂ）は、ローラー型支持体に関する。粘着テープ２は粘着剤塗布層が紙１に接するように配する。ローラー型支持体３２はローラーの軸５の周りに回転してもよい。また、ローラーの軸５と一体になって軸受の周りに回転する構造としてもよい。その外周を粘着テープ２の背面に接しせしめて粘着テープ２を介して紙１を弱く圧下すれば、圧下しながら紙面に沿って移動することができる。これにより、粘着テープ２と紙１の接点、すなわち作業点１０において、粘着テープ２が緊張していれば粘着テープ２による紙面の擦過が起こり、弛緩していれば粘着テープ２は紙面へ拡がり紙面に接着する。すなわち、
（１）粘着テープ２が緊張していれば、擦過は筆跡構成成分を粘着剤に練り込んで、粘着剤塗布層と結合する可塑性物体を生成し、筆跡構成成分を紙１から離脱させる（擦過単独）。
（２）粘着テープ２が弛緩していれば、粘着テープ２は紙面に拡がり接着し、筆跡構成成分は粘着テープ２に転写される。拡がりが進行して弛緩が終了し粘着テープが緊張すると擦過が始まり、これに引きずられて、接着部分は引き剥がされる。または、ある程度拡がりが進行したところで、折り返すと、あるところで弛緩が終了して粘着テープが緊張すると擦過が始まる。これに引きずられて、接着部分は引き剥がされる（擦過と接着と引き剥がし）。
以上のように、本発明になる「繰り返し擦過」は「擦過単独の繰り返し」または「擦過と接着と引き剥がしの繰り返し」により筆跡除去を進行させるものである。
【００４２】
図２（ｃ）は、ロール型支持体に関する。粘着テープ２は、リール７の外面を粘着剤塗布層が覆うように巻き取られ、粘着テープロール６が形成される。粘着剤塗布層が紙１に接するように粘着テープロール６はリール７の軸８の周りに回転が可能である。また、その外周により紙１を弱く圧下すれば、圧下しながら紙面に沿って移動することができる。これにより、粘着テープ２と紙１の接点、すなわち作業点１０において、粘着テープロール６による紙面の擦過、または転圧が可能となる。
（１）粘着テープ２が緊張していれば、擦過は筆跡構成成分を粘着剤に練り込んで、粘着剤塗布層と結合する可塑性物体を生成し、筆跡構成成分を紙１から離脱させる（擦過単独）。繰り返し擦過を行うと、粘着テープの特定の部位において、可塑性物体は筆跡構成成分を取り込んで成長する。したがって、粘着テープを効率よく利用できる。
（２）転圧は、粘着テープの接着と引き剥がしを連続的に行う手段として有効である。これにより、筆跡構成成分を粘着テープ２に転写させ、紙１から離脱させることができる。しかし、転圧は粘着テープの供給を伴うので、粘着テープの利用効率が低いという欠点がある。したがって、転圧は粘着テープの供給手段とし、これに伴う転写を許容する程度に留めるのが好ましい。
以上のように、本発明になる「繰り返し擦過」は「擦過単独の繰り返し」または「擦過と接着と引き剥がしの繰り返し」により除去を進行させるものである。
【００４３】
図３は、支持体および、二つの粘着テープロールに係る構成を模式的に示す垂直断面図である。図３（a）は、支持体および、同方向に回転する二つの粘着テープロールに係る構成を模式的に示す垂直断面図である。粘着テープは、あらかじめ引き出し側リール７１の外面を粘着剤塗布層が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となる。その基材側の背面に支持体３を接触させ、紙１との接触点である作業点１０を経て、巻き取り側粘着テープ２４となる。巻き取り側粘着テープ２４は、巻き取り側リール７２に外面を粘着剤塗布層が覆うように巻きとられ、巻き取り側粘着テープロール６２を形成する。引き出し側リール７１と巻き取り側リール７２は同方向に回転するように、ベルトまたは歯車によって連結されており、引き出し側リール７１が回転すると巻き取り側リール７２も回転し、粘着テープの引き出しと巻き取りが同時に進行する。
【００４４】
引き出し側粘着テープ２３は限界粘着力が大きくなるほど引き出し側粘着テープロール６１の接線から外れ、接線２５となす接触角は大きくなり、外周上における引き剥がし点９の位置は粘着テープ２の限界粘着力により変化する。接触角は２度以上３０度以下が好ましい。使用者は作業点において背面より粘着テープに加える圧下力の大きさによって「繰り返し擦過」か、「粘着テープの供給」か、のいずれかを選択できるが、２度未満であると、選択に必要な圧下力の値が接近し選択が困難になるからである。また、３０度以上であると、「粘着テープの供給」に必要な圧下力の値が過大となり、過大な圧下により粘着テープが紙面と強く接着して引き剥がしにより紙を傷める危惧が高まるからである。粘着テープの基材に制約はない。和紙、木材パルプ紙、アセテートフィルム、アセテート布、セロファン、ポリ塩化ビニル等が適用できる。粘着テープの粘着剤塗布層を構成する粘着剤に制約はない。ゴム系接着剤、アクリル系接着剤等が適用できる。また、粘着剤塗布層は基材に全面塗布しても島状に離散塗布してもよい。
【００４５】
図３（ｂ）は、支持体および、異方向に回転する二つの粘着テープロールに係る構成を模式的に示す垂直断面図である。粘着テープは、あらかじめ引き出し側リール７１の外面を粘着剤塗布層が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となる。その基材側の背面に支持体３を接触させ、紙１との接触点である作業点１０を経て、巻き取り側粘着テープ２４となる。巻き取り側粘着テープ２４は、巻き取り側リール７２に外面を基材が覆う方向に巻きとられ、巻き取り側粘着テープロール６２を形成する。引き出し側リール７１と巻き取り側リール７２は異なる方向に回転するように、歯車によって連結されており、引き出し側リール７１が回転すると巻き取り側リール７２も回転し、粘着テープの引き出しと巻き取りが同時に進行する。引き出し側粘着テープ２３は限界粘着力が大きいほど引き出し側粘着テープロール６１の接線から外れる。すなわち、外周上における引き剥がし点９の位置は粘着テープ２の限界粘着力により変化する。
【００４６】
図３（a）または（ｂ）において、引き出し側粘着テープ２３が緊張している場合、支持体３を作業点１０に移動し粘着テープ２を紙面に接触させ、紙面を弱く圧下したまま、引き出し側粘着テープロール６１の方向に支持体３を引くと、紙面を擦過することができる。所定の距離、擦過したら支持体３を浮かせてもとの位置に戻す。この作業を繰り返す。このようにして、引き出し側粘着テープ２３が引き出されることなく、引き出し側粘着テープ２３を緊張させて片道の「繰り返し擦過」（擦過単独の繰り返し）を進行させることができる。
【００４７】
作業点において粘着テープ２３が弛緩している場合、引き出し側粘着テープロール６１の方向に支持体を引くと、粘着テープは弛緩分が紙面に接着してのち、緊張し、擦過に移行する。擦過によって接着部分は引き剥がされる。図に示されるように、引き出し側粘着テープ２３は緊張し巻き取り側粘着テープ２４は弛緩した状態になる。作業点１０において支持体３の往復動を繰り返すと、接着、擦過、引き剥がしの工程、すなわち接着と引き剥がしを伴う擦過が繰り返される。かかる「繰り返し擦過」（擦過と接着と引き剥がしの繰り返し）においては、擦過と転写によって筆跡構成成分が紙面から離脱し、可塑性物体が生成し成長しつつ、筆跡構成成分の除去が進行する。
【００４８】
また、支持体３をバネで支持して粘着テープ２に常に張力が働くようにしてもよい。この場合、引き出し側粘着テープ２３も巻き取り側粘着テープ２４も緊張した状態になる。支持体３を作業点１０に移動し粘着テープ２を紙面に接触させ、紙面を弱く圧下したまま、引き出し側粘着テープロール６１の方向に支持体３を引くと、紙面を擦過することができる。所定の距離、擦過したら支持体３を逆方向に引くと、逆方向にも擦過することができる。そして元の位置に戻す。この作業を繰り返す。このようにして、引き出し側粘着テープ２３が引き出されることなく往復の「繰り返し擦過」（擦過単独の繰り返し）を進行させることができる。
【００４９】
図４は、支持体および、同方向に回転する二つの粘着テープロールを直列に配置する構成を模式的に示す垂直断面図である。図４（a）は、支持体および、同方向に回転する二つの粘着テープロールであって引き出し側粘着テープロールを前方に配置する構成を模式的に示す垂直断面図である。粘着テープは、あらかじめ引き出し側リール７１の外面を粘着剤塗布層が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となる。その基材側の背面に支持体３を接触させ、紙１との接触点である作業点１０を経て、巻き取り側粘着テープ２４となる。巻き取り側粘着テープ２４は、引き出し側粘着テープロール６１の外面に接触してから、巻き取り側リール７２に外面を粘着剤塗布層が覆う方向に巻きとられ、巻き取り側粘着テープロール６２を形成する。引き出し側リール７１と巻き取り側リール７２は同方向に回転するように、ベルトまたは歯車によって連結されており、引き出し側リール７１が回転すると巻き取り側リール７２も回転し、粘着テープの引き出しと巻き取りが同時に進行する。引き出し側粘着テープ２３は限界粘着力が大きいほど引き出し側粘着テープロール６１の接線から外れる。すなわち、外周上における引き剥がし点９の位置は粘着テープ２の限界粘着力により変化する。
【００５０】
図４（ｂ）は、支持体および、同方向に回転する二つの粘着テープロールであって引き出し側粘着テープロールを後方に配置する構成を模式的に示す垂直断面図である。粘着テープは、あらかじめ引き出し側リール７１の外面を粘着剤塗布層が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となり、巻き取り側粘着テープロール６２の外面に接触してから、その基材側の背面に支持体３を接触させ、紙１との接触点である作業点１０を経て、巻き取り側粘着テープ２４となる。巻き取り側粘着テープ２４は、巻き取り側リール７２に外面を粘着剤塗布層が覆う方向に巻きとられ、巻き取り側粘着テープロール６２を形成する。引き出し側リール７１と巻き取り側リール７２は同方向に回転するように、ベルトまたは歯車によって連結されており、引き出し側リール７１が回転すると巻き取り側リール７２も回転し、粘着テープの引き出しと巻き取りが同時に進行する。引き出し側粘着テープ２３は限界粘着力が大きいほど引き出し側粘着テープロール６１の接線から外れる。すなわち、外周上における引き剥がし点９の位置は粘着テープ２の限界粘着力により変化する。
【００５１】
図５は、支持体および、異方向に回転する二つの粘着テープロールを直列に配置する構成を模式的に示す垂直断面図である。図５（a）は、支持体および、異方向に回転する二つの粘着テープロールであって引き出し側粘着テープロールを前方に配置する構成を模式的に示す垂直断面図である。粘着テープは、あらかじめ引き出し側リール７１の外面を粘着剤塗布層が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となる。その基材側の背面に支持体３を接触させ、紙１との接触点である作業点１０を経て、巻き取り側粘着テープ２４となる。巻き取り側粘着テープ２４は、引き出し側粘着テープロール６１の外面に接触してから、巻き取り側リール７２に外面を基材が覆うように巻きとられ、巻き取り側粘着テープロール６２を形成する。引き出し側リール７１と巻き取り側リール７２は異方向に回転するように、歯車によって連結されており、引き出し側リール７１が回転すると巻き取り側リール７２も回転し、粘着テープの引き出しと巻き取りが同時に進行する。引き出し側粘着テープ２３は限界粘着力が大きいほど引き出し側粘着テープロール６１の接線から外れる。すなわち、外周上における引き剥がし点９の位置は粘着テープ２の限界粘着力により変化する。
【００５２】
図５（ｂ）は、支持体および、異方向に回転する二つの粘着テープロールであって引き出し側粘着テープロールを後方に配置する構成を模式的に示す垂直断面図である。粘着テープは、あらかじめ引き出し側リール７１の外面を基材が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となり、巻き取り側粘着テープロール６２の外面に接触してから、その基材側の背面に支持体３を接触させ、紙１との接触点である作業点１０を経て、巻き取り側粘着テープ２４となる。巻き取り側粘着テープ２４は、巻き取り側リール７２に外面を粘着剤塗布層が覆うように巻きとられ、巻き取り側粘着テープロール６２を形成する。引き出し側リール７１と巻き取り側リール７２は異方向に回転するように、歯車によって連結されており、引き出し側リール７１が回転すると巻き取り側リール７２も回転し、粘着テープの引き出しと巻き取りが同時に進行する。引き出し側粘着テープ２３は限界粘着力が大きいほど引き出し側粘着テープロール６１の接線から外れる。すなわち、外周上における引き剥がし点９の位置は粘着テープ２の限界粘着力により変化する。
【００５３】
図６は、引き出し側粘着テープロールと巻き取り側粘着テープロールを有し、一方の粘着テープロールが支持体を兼ねる構成を模式的に示す垂直断面図である。図６（a）は、一方の粘着テープロールが支持体を兼ね、同方向に回転する二つの粘着テープロールからなる構成を模式的に示す垂直断面図である。粘着テープは、あらかじめ引き出し側リール７１の外面を粘着剤塗布層が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となる。引き出し側粘着テープ２３は、巻き取り側リール７２に外面を粘着剤塗布層が覆う方向に巻きとられ、巻き取り側粘着テープロール６２を形成する。巻き取り側粘着テープロール６２は、紙１と接触して作業点１０を形成する。引き出し側リール７１と巻き取り側リール７２は同方向に回転するように、ベルトまたは歯車によって連結されており、引き出し側リール７１が回転すると巻き取り側リール７２も回転し、粘着テープの引き出しと巻き取りが同時に進行する。引き出し側粘着テープ２３は限界粘着力が大きいほど引き出し側粘着テープロール６１の接線から外れる。すなわち、外周上における引き剥がし点９の位置は粘着テープ２の限界粘着力により変化する。作業点１０において紙１と接する粘着テープは、巻き取り側粘着テープロール６２を支持体としており、弛緩することはない。したがって、擦過単独の繰り返しが保証されている。
【００５４】
図６（b）は、一方の粘着テープロールが支持体を兼ね、異方向に回転する二つの粘着テープロールからなる構成を模式的に示す垂直断面図である。粘着テープは、あらかじめ引き出し側リール７１の外面を基材が覆うように巻かれ、引き出し側粘着テープロール６１が形成される。引き出し側リール７１は引き出し側軸８１に挿入される。それを軸として引き出し側リール７１は回転が可能である。一方、巻き取り側リール７２は巻き取り側軸８２に挿入される。巻き取り側リール７２はそれを軸として回転が可能である。粘着テープは、引き出し側粘着テープロール６１から引き剥がされ、引き剥がし点９を形成し、引き出し側粘着テープ２３となる。引き出し側粘着テープ２３は、巻き取り側リール７２に外面を粘着剤塗布層が覆う方向に巻きとられ、巻き取り側粘着テープロール６２を形成する。巻き取り側粘着テープロール６２は、紙１と接触して作業点１０を形成する。引き出し側リール７１と巻き取り側リール７２は異方向に回転するように、歯車によって連結されており、引き出し側リール７１が回転すると巻き取り側リール７２も回転し、粘着テープの引き出しと巻き取りが同時に進行する。引き出し側粘着テープ２３は限界粘着力が大きいほど引き出し側粘着テープロール６１の接線から外れる。すなわち、外周上における引き剥がし点９の位置は粘着テープ２の限界粘着力により変化する。作業点１０において紙１と接する粘着テープは、巻き取り側粘着テープロール６２を支持体としており、弛緩することはない。したがって、擦過単独の繰り返しが保証されている。
【００５５】
図７は、一方の粘着テープロールが支持体を兼ね、二つの粘着テープロールが直接接触する構成を模式的に示す垂直断面図である。粘着テープは、あらかじめ引き出し側リール７１の外面を基材が覆うように巻かれ、引き出し側粘着テープロール６１が形成される。粘着テープは、引き出し側粘着テープロール６１から引き剥がされ、引き剥がし点９において、巻き取り側リール７２に外面を粘着剤塗布層が覆う方向に巻きとられ、巻き取り側粘着テープロール６２を形成する。巻き取り側粘着テープロール６２は、紙１と接触して作業点１０を形成する。作業点１０において紙１と接する粘着テープは、巻き取り側粘着テープロール６２を支持体としており、弛緩することはない。したがって、擦過単独の繰り返しが保証されている。
【００５６】
図３から５に記載の構成では作業点１０における繰り返し擦過の方向は粘着テープ２の長手方向に限られる。それは、幅方向に擦過すると粘着テープ２がずれて支持体３から脱落する危惧があるからである。これに対して、図６および図７に記載のロール型支持体（図２（ｃ）参照）に関わる構成では、このような危惧はない。なぜなら、作業点１０において粘着テープは巻き取り側粘着テープロール６２の最表層の一部でありその背面は粘着テープにより接着されているからである。したがって、擦過方向に制約はない。紙面上で往復運動や円運動による擦過が可能である。また、転動による転写も可能である。このように、ロール型支持体の自由度は極めて大きい。
【００５７】
図３から７に記載の構成において、粘着テープ２の移動方向は、正逆転可能としてもよい。すなわち、筆跡消去の途中で粘着テープの引き出しと巻き取りを逆にするのである。こうすることにより、巻き取り側に移動した粘着テープの未利用部位を筆跡消去に利用でき、粘着テープの利用効率を上げることができる。
【実施例１】
【００５８】
図８（a）は、プレート型支持体３１、直列に配置されベルト１００で連結された二つのリール７１と７２、リールを挿入する二つの軸、同方向に回転する二つの粘着テープロール６１と６２から構成される黒鉛筆跡消去器具（図４（ｂ）参照）を使用して筆跡消去を実施後、ケースを外して撮影した器具の外観である。使用した粘着テープは幅６ｍｍ、基材は和紙、粘着剤はアクリル系である。
【００５９】
作業点において粘着テープを背面から支持するプレート先端の曲率半径は０．４ｍｍである。プレート型支持体３１により作業点に強い圧下操作を加えて引き出し側粘着テープロール６１の方へ引くと「粘着テープの供給」がなされ、粘着テープは後方に配置された引き出し側粘着テープロール６１から引き出されて引き出し側粘着テープ２３となり、プレート型支持体３１を経由して巻き取り側粘着テープ２４となり、前方に配置された巻き取り側粘着テープロール６２に巻き取られる。引き続き、弱い圧下操作によって振幅２〜３ｍｍの「繰り返し擦過」（擦過と接着と引き剥がしの繰り返し）を行う。かかる「粘着テープの供給」と「繰り返し擦過」を交互に行った結果、図に示されるように、巻き取り側粘着テープ２４には多数の粘着剤塗布層と結合する黒色の可塑性物体が層状に形成された。粘着テープと紙面の接触面積は粘着テープの幅６ｍｍと「繰り返し擦過」の幅２〜３ｍｍによって決まりこれは経時変化しない。
【実施例２】
【００６０】
図８（ｂ）は、プレート型支持体３１、直列に配置された二つのリール、リールを挿入する二つの軸、同方向に回転する二つの粘着テープロール、引き出し側リールと結合された歯車１０１、巻き取り側リールと結合された歯車１０２、両歯車を連結する歯車１０３から構成される黒鉛筆跡消去器具（図４（ｂ）参照）を使用して筆跡消去を実施後、撮影した器具の外観である。使用した粘着テープは幅６ｍｍ、基材は和紙、粘着剤はアクリル系である。
【００６１】
作業点において粘着テープを背面から支持するプレート先端の曲率半径は０．４ｍｍである。プレート型支持体３１により作業点に強い圧下操作を加えて引き出し側粘着テープロールの方へ引くと「粘着テープの供給」がなされ、粘着テープは後方に配置された引き出し側粘着テープロールから引き出されて引き出し側粘着テープ２３となり、プレート型支持体３１を経由して巻き取り側粘着テープ２４となり、前方に配置された巻き取り側粘着テープロールに巻き取られる。引き続き、弱い圧下操作によって振幅２〜３ｍｍの「繰り返し擦過」（擦過と接着と引き剥がしの繰り返し）を行う。かかる「粘着テープの供給」と「繰り返し擦過」を交互に行った結果、図に示されるように、巻き取り側粘着テープ２４には多数の粘着剤塗布層と結合する黒色の可塑性物体が形成された。
【００６２】
図８（ｃ）は、硬度ＨＢ（規格ＪＩＳ６００６による）の鉛筆を使って描いた線間幅２〜３ｍｍの螺旋をこの黒鉛筆跡消去器具を使用して、粘着テープの幅６ｍｍで一本置きに消去した後の写真である。このように、精緻な消去が可能であった。本発明になる黒鉛筆跡消去器具を使用すれば、紙面との接触面積は粘着テープの幅６ｍｍと「繰り返し擦過」の幅２〜３ｍｍによって決まりこれは経時変化しない。
【実施例３】
【００６３】
図９（a）は、ローラー型支持体３２、直列に配置された二つのリール７１と７２、リールを挿入する二つの軸８１と８２、異なる方向に回転する二つの粘着テープロール６１と６２、引き出し側リール７１と結合された歯車１０１、巻き取り側リール７２と結合された歯車１０２から構成される黒鉛筆跡消去器具（図３（b）参照）を使用して筆跡消去を実施後、ケースを外して撮影した器具の外観である。使用した粘着テープは、幅６ｍｍ、基材は和紙、粘着剤はアクリル系である。
【００６４】
作業点において粘着テープを背面から支持するローラーの曲率半径は３ｍｍである。ローラー型支持体３２により作業点に強い圧下操作を加えて引き出し側粘着テープロール６１の方へ引くと「粘着テープの供給」がなされ、粘着テープは前方に配置された引き出し側粘着テープロール６１から引き出されて引き出し側粘着テープ２３となり、ローラー型支持体３２を経由して巻き取り側粘着テープ２４となり、後方に配置された巻き取り側粘着テープロール６２に巻き取られる。引き続き、弱い圧下操作によって振幅２〜３ｍｍの「繰り返し擦過」（擦過と接着と引き剥がしの繰り返し）を行う。かかる「粘着テープの供給」と「繰り返し擦過」を交互に行った結果、図に示されるように、巻き取り側粘着テープ２４には多数の粘着剤塗布層と結合する黒色の可塑性物体が形成された。
【００６５】
図９（ｂ）は、硬度ＨＢ（規格ＪＩＳ６００６による）の鉛筆を使って描いた線間幅２〜３ｍｍの螺旋をこの黒鉛筆跡消去器具を使用して、粘着テープの幅６ｍｍで直線的に消去した後の写真である。このように、一定の幅で精緻な消去が可能であった。本発明になる黒鉛筆跡消去器具を使用すれば、紙面との接触面積は粘着テープの幅６ｍｍと「繰り返し擦過」の幅２〜３ｍｍによって決まりこれは経時変化しない。
【実施例４】
【００６６】
図１０（a）は、ローラー型支持体３２、直列に配置された二つのリール７１と７２、リールを挿入する二つの軸８１と８２、異なる方向に回転する二つの粘着テープロール６１と６２、引き出し側リール７１と結合された歯車、巻き取り側リール７２と結合された歯車１０２から構成される黒鉛筆跡消去器具（図５（a）参照）を使用して筆跡消去を実施後、ケースを外して撮影した器具の外観である。引き出し側粘着テープロール６１は内側にスリップリング２０１を有し、粘着テープに過負荷が掛った時に軸８１との接触面で滑り粘着テープの破損を防止するようになっている。使用した粘着テープは、幅８．４ｍｍ、基材は木材パルプ系紙、貼って剥がせる修正テープとして市販されているものである。
【００６７】
作業点において粘着テープを背面から支持するローラーの曲率半径は２ｍｍである。ローラー型支持体３２により作業点に強い圧下操作を加えて引き出し側粘着テープロール６１の方へ引くと「粘着テープの供給」がなされ、粘着テープは前方に配置された引き出し側粘着テープロールから引き出されて引き出し側粘着テープ２３となり、ローラー型支持体３２を経由して巻き取り側粘着テープ２４となり、後方に配置された巻き取り側粘着テープロール６２に巻き取られる。引き続き、弱い圧下操作によって巻き取り方向へ引いて巻き取り側粘着テープ２４を緊張させ、振幅２〜３ｍｍの片道の「繰り返し擦過」（擦過単独の繰り返し）を行う。かかる「粘着テープの供給」と「繰り返し擦過」を交互に行った結果、図に示されるように、巻き取り側粘着テープ２４には多数の粘着剤塗布層と結合する黒色の可塑性物体が形成された。本発明になる黒鉛筆跡消去器具を使用すれば、紙面との接触面積は粘着テープの幅８．４ｍｍと「繰り返し擦過」の幅２〜３ｍｍによって決まりこれは経時変化しない。
【実施例５】
【００６８】
図１０（ｂ）は、図１０（a）と同様に、ローラー型支持体３２、直列に配置された二つのリール７１と７２、リールを挿入する二つの軸、異なる方向に回転する二つの粘着テープロール、引き出し側リール７１と結合された歯車、巻き取り側リール７２と結合された歯車から構成される黒鉛筆跡消去器具（図５（a）参照）を使用して筆跡消去を実施後、ケースを外して撮影した器具の外観である。二つのリール７１と７２はいずれも両側に鍔を有している。ローラー型支持体３２は長首プレート３０１によって支持されている。使用した粘着テープは、幅６ｍｍ、基材は和紙、粘着剤はアクリル系である。
【００６９】
作業点において粘着テープを背面から支持するローラーの曲率半径は１．９ｍｍである。ローラー型支持体３２により作業点に限界粘着力を超える強い圧下操作を加えると、長首プレート３０１は板バネとして機能して湾曲して引き出し側粘着テープ２３を引っ張って緊張させ、「粘着テープの供給」がなされる。粘着テープは前方に配置された引き出し側粘着テープロールから引き出されて引き出し側粘着テープ２３となり、ローラー型支持体３２を経由して巻き取り側粘着テープ２４となり、後方に配置された巻き取り側粘着テープロール６２に巻き取られる。引き剥がしを許さない弱い圧下操作を加えると長首プレート３０１は板バネとして機能して湾曲して引き出し側粘着テープ２３を引っ張って緊張させる。そして、緊張を維持して振幅２〜３ｍｍの「繰り返し擦過」（往復動擦過）を行うことができる。かかる「粘着テープの供給」と「繰り返し擦過」を交互に行った結果、図に示されるように、巻き取り側粘着テープ２４には多数の粘着剤塗布層と結合する黒色の可塑性物体が形成された。
【００７０】
図１０（ｃ）は、硬度ＨＢ（規格ＪＩＳ６００６による）の鉛筆を使って描いた線間幅２〜３ｍｍの螺旋をこの黒鉛筆跡消去器具を使用して、粘着テープの幅６ｍｍで直線的に消去した後の写真である。このように、一定の幅で精緻な消去が可能であった。本発明になる黒鉛筆跡消去器具を使用すれば、紙面との接触面積は粘着テープの幅６ｍｍと「繰り返し擦過」の幅２〜３ｍｍによって決まりこれは経時変化しない。
【実施例６】
【００７１】
図１１（a）は、ローラー型支持体３２、直列に配置された二つのリール７１と７２、リールを挿入する二つの軸、異なる方向に回転する二つの粘着テープロール、引き出し側リール７１と結合された歯車、巻き取り側リール７２と結合された歯車から構成される黒鉛筆跡消去器具（図５（b）参照）を使用して筆跡消去を実施後、ケースを外して撮影した器具の外観である。リール７１と７２はいずれも両側に鍔を有している。ローラー型支持体３２は長首プレート３０１によって支持されている。使用した粘着テープは幅９ｍｍ、基材は和紙である。
【００７２】
作業点において粘着テープを背面から支持するローラーの曲率半径は２．５ｍｍである。ローラー型支持体３２により作業点に強い圧下操作を加えて引き出し側粘着テープロール６１の方へ引くと粘着テープは後方に配置された引き出し側粘着テープロールから引き出されて引き出し側粘着テープとなり、ローラー型支持体３２を経由して巻き取り側粘着テープ２４となり、前方に配置された巻き取り側粘着テープロールに巻き取られる。引き続き、弱い圧下操作によって振幅２〜３ｍｍの「繰り返し擦過」（擦過と接着と引き剥がしの繰り返し）を行う。かかる「粘着テープの供給」と「繰り返し擦過」を交互に行った結果、図に示されるように、巻き取り側粘着テープ２４には多数の粘着剤塗布層と結合する黒色の可塑性物体が形成された。
【００７３】
図１１（ｂ）は、硬度ＨＢ（規格ＪＩＳ６００６による）の鉛筆を使って描いた線間幅２〜３ｍｍの螺旋をこの黒鉛筆跡消去器具を使用して、粘着テープの幅９ｍｍで直線的に消去した後の写真である。このように、一定の幅で精緻な消去が可能であった。本発明になる黒鉛筆跡消去器具を使用すれば、紙面との接触面積は粘着テープの幅９ｍｍと「繰り返し擦過」の幅２〜３ｍｍによって決まりこれは経時変化しない。
【実施例７】
【００７４】
図１２（a）は、粘着テープロールが支持体を兼ねるロール型支持体（図７参照）を使用して筆跡消去を実施後、上部から撮影した器具の外観である。この黒鉛筆跡消去器具は、二つのリール７１と７２、鍔付きの引き出し側リール７１に外面を基材が覆うように粘着テープが巻かれた引き出し側粘着テープロール６１、引き出された粘着テープが外面を粘着剤塗布層が覆うように巻き取り側リール７２に巻かれた巻き取り側粘着テープロール６２から構成される。引き出し側粘着テープロール６１は、引き剥がし点において巻き取り側粘着テープロール６２と接するように配置される。引き出し側リール７１の鍔は巻き取り側リール７２に達して巻き取りがずれないように護る。使用した粘着テープは幅５ｍｍ、厚さ０．１２ｍｍ、基材はポリ塩化ビニル、粘着剤はゴム系である。
【００７５】
作業点において粘着テープを背面から支持する巻き取り側リール７２の曲率半径は１０ｍｍである。このリール７２を親指と人差し指の末節で挟んで掴み、紙面と接触させ、「繰り返し擦過」（擦過単独の繰り返し）を行った。粘着テープの供給は、引き出し側リール７１を親指の末節と人差し指の中節で挟んで掴み、引き出し側リール７１で巻き取り側リール７２を押し、紙面で転動させることによって行った。このとき、巻き取りも同時に進行した。図１２（ｂ）は、器具を反転して撮った写真である。図に示されるように、巻き取り側粘着テープロール６２には大量の粘着剤塗布層と結合する黒色の可塑性物体が形成された。
【００７６】
このロール型支持体の曲率半径は、粘着テープの巻き取りの進行に伴って初期の１０ｍｍから少しずつ増加する。その増加の程度は、粘着テープの厚さとテープに練り込まれる可塑性物体の量に依存する。しかし、筆跡消去の精度に影響するほど大きくない。
【００７７】
図１２（ｃ）は、硬度ＨＢ（規格ＪＩＳ６００６による）の鉛筆を、使って描いた線間幅２〜３ｍｍの螺旋をこの黒鉛筆跡消去器具を使用して、幅５ｍｍの粘着テープで消去した後の写真である。消去領域４０１は、適宜、粘着テープの供給操作を行いながら、直線的に繰り返し擦過を行った結果である。往復動擦過により、精緻な消去ができた。消去領域４０２は、適宜、粘着テープの供給操作を行いながら、円運動により繰り返し擦過を行った結果である。作業点において、粘着テープは背面で巻き取られた粘着テープと接着しているので、円運動しても、蛇行しても、粘着テープはリールから外れることはない。実施例７では、円運動擦過により、広い面積を効率よく消去することができた。
【実施例８】
【００７８】
図１３（a）は、プレート型支持体３１と露出した巻き取り側粘着テープロール６２を有する黒鉛筆跡消去器具を使用して筆跡消去を実施後、撮影した器具の外観である。ここで使用したのは幅６ｍｍの粘着テープである。プレート型支持体３１により支持された粘着テープの部位を作業点として筆跡消去を繰り返す。巻き取られた粘着テープロール６２を支持体として作業点を構成して再び円運動により筆跡消去を繰り返す。粘着テープには、前者のプレート型支持体筆跡消去では幅約２ｍｍの繰り返し擦過により約０．８ｍｍ×６ｍｍの矩形可塑性物体が繰り返し形成され、後者のロール型支持体筆跡消去では直径約６ｍｍの可塑性物体が繰り返し形成された。
【実施例９】
【００７９】
図１３（ｂ）は、ローラー型支持体３２と露出した巻き取り側粘着テープロール６２を有する黒鉛筆跡消去器具を使用して筆跡消去を実施後、撮影した器具の外観である。ここで使用したのは幅６ｍｍの粘着テープである。ローラー型支持体３２により支持された粘着テープの部位を作業点として筆跡消去を繰り返す。巻き取られた粘着テープロール６２を支持体として作業点を構成して再び円運動により筆跡消去を繰り返す。粘着テープには、前者のローラー型支持体筆跡消去では幅約２ｍｍの繰り返し擦過により約０．４ｍｍ×６ｍｍの矩形可塑性物体が繰り返し形成され、後者のロール型支持体筆跡消去では直径約６ｍｍの可塑性物体が繰り返し形成された。
【００８０】
実施例８および９では、概略２ｍｍ×６ｍｍの寸法の精緻な筆跡消去と、直径約６ｍｍの円運動擦過による高効率筆跡消去を、一台の器具で行うことができることが示された。
【００８１】
以上述べてきたように、本発明によれば、粘着テープの粘着剤塗布層側の限られた一部を使用して、消しゴムのように、紙面を繰り返し擦過することができ、擦過の繰り返しにより筆跡構成成分を少しずつ紙面から粘着テープに移動させることができ、その結果、粘着剤塗布層と結合する可塑性物体が生成され、これが紙面と密着して筆跡構成成分を取り込んで成長しつつ、紙を傷めることなく筆跡構成成分を効率よく捕捉する。
【００８２】
本発明によれば、筆跡消去を継続しても、作業点における器具と紙面との接触面積は増加しないか、増加してもわずかなので、擦り減っていく消しゴムとは異なり精緻な筆跡消去が維持できる。
【００８３】
また、本発明によれば、筆跡構成成分は可塑性物体に取り込まれる。この可塑性物体は、粘着剤塗布層と結合しているので、消しゴムから発生する消し屑とは異なり、紙面上に散らばることはない。消し屑が発生しないので、消し屑を除去する作業（特許文献２から４参照）は不要となる。
【００８４】
また、本発明によれば、粘着テープの作用により、弱い圧下により「繰り返し擦過」を選ぶか、強い圧下により「粘着テープの供給」を選ぶかを選択できるので、簡便に効率よく筆跡を消去する作業ができる。すなわち、粘着テープの更新のために、巻き取りツマミのような専用の手段（特許文献３参照）を設ける必要はない。また、粘着テープをミシン目より指先で抓んで剥がす面倒な操作（特許文献４参照）は不要となる。
【００８５】
さらに、粘着テープは、作業点を構成できない端部を除いて、すべて無駄なく筆跡の消去に利用できる。この点も、手で保持しにくい形や大きさになったり、角が丸くなって精緻な筆跡消去ができなくなって廃棄を余儀なくされる消しゴムに比べて有利である。また、球体あるいは円筒体に成形された非摩耗材からなる回転体からなる字消し部材（特許文献１参照）は、その表面を無駄なく筆跡消去に利用できるが、その表面は更新されないので、その筆跡消去容量は著しく小さい。本発明はこれとの比較でも優位にある。
【００８６】
なお、本発明になる器具は、消しゴムの使用により発生する消し屑の除去手段としても有用である。また、黒鉛筆跡のみならず色鉛筆による筆跡の消去手段としても有用である。
【００８７】
なお、上述した実施形態及び変形例は一例であって、これらに限定されるわけではない。例えば各実施形態及び各変形例は、複数を適宜組み合わせることが可能である。
【００８８】
本発明は、上述した実施形態に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００８９】
１…紙、２…粘着テープ、３…支持体、４…可塑性物体、５…軸、６…粘着テープロール、７…リール、９…引き剥がし点、１０…作業点、２１…基材、２２…粘着剤塗布層、２３…引き出し側粘着テープ、２４…巻き取り側粘着テープ、２５…接線、３１…プレート型支持体、３２…ローラー型支持体、６１…引き出し側粘着テープロール、６２…巻き取り側粘着テープロール、７１…引き出し側リール、７２…巻き取り側リール、８１…引き出し側軸、８２…巻き取り側軸、１００…ベルト、１０１…歯車、１０２…歯車、１０３…歯車、２０１…スリップリング、３０１…長首プレート、４０１…消去領域、４０２…消去領域
【図１】
2017159637.tif 000003
【図２】
2017159637.tif 000004
【図３】
2017159637.tif 000005
【図４】
2017159637.tif 000006
【図５】
2017159637.tif 000007
【図６】
2017159637.tif 000008
【図７】
2017159637.tif 000009
【図８】
2017159637.tif 000010
【図９】
2017159637.tif 000011
【図１０】
2017159637.tif 000012
【図１１】
2017159637.tif 000013
【図１２】
2017159637.tif 000014
【図１３】
2017159637.tif 000015